(57)【要約】【課題】カード挿入口から挿入されるカードの磁気ストライプに磁気データが記録されているのか否かを検知することが可能であっても、犯罪者による磁気情報の不正取得を阻止することが可能で、かつ、コストを低減することが可能なカードリーダを提供する。【解決手段】このカードリーダは、カードの磁気ストライプに磁気データが記録されているのか否かを検知するための磁気センサ８と、磁気センサ８に電力を供給するとともに磁気センサ８の出力信号が入力される制御部１４とを備えており、磁気センサ８は、制御部１４から電力が供給されると出力信号を出力する。カード挿入口から挿入されたカードの磁気ストライプに記録される磁気データの記録領域が磁気センサ８を通過し始めてから通過し終わるまでの時間をカード通過時間とすると、制御部１４は、カード通過時間よりも短い第１供給時間、磁気センサ８に電力を供給する。【選択図】図２
2016071391.tif 000002
【特許請求の範囲】
【請求項１】
カードの磁気ストライプに磁気データが記録されているのか否かを検知するための磁気センサと、前記磁気センサに電力を供給するとともに前記磁気センサの出力信号が入力される制御部と、前記カードが挿入されるカード挿入口が形成され前記磁気センサが配置されるカード挿入部とを備え、
前記磁気センサは、前記制御部から電力が供給されると出力信号を出力し、
前記カード挿入口から挿入された前記カードの前記磁気ストライプに記録される磁気データの記録領域が前記磁気センサを通過し始めてから通過し終わるまでの時間をカード通過時間とすると、
前記制御部は、前記カード通過時間よりも短い第１供給時間、前記磁気センサに電力を供給することを特徴とするカードリーダ。
【請求項２】
前記制御部は、間欠的に前記第１供給時間、前記磁気センサに電力を供給することを特徴とする請求項１記載のカードリーダ。
【請求項３】
前記カード挿入口に前記カードが挿入されたことを検知するためのカード挿入センサを備え、
前記制御部は、前記カード挿入センサでの検知結果に基づいて前記カード挿入口に前記カードが挿入されたことが検知されると、間欠的に前記第１供給時間、前記磁気センサに電力を供給することを特徴とする請求項２記載のカードリーダ。
【請求項４】
前記制御部は、前記制御部が前記磁気センサに電力を供給していないときに、前記磁気センサの出力信号が前記制御部に入力されると、異常処理を実行することを特徴とする請求項１から３のいずれかに記載のカードリーダ。
【請求項５】
前記磁気センサは、磁気抵抗効果を利用したＭＲセンサであることを特徴とする請求項１から４のいずれかに記載のカードリーダ。
【請求項６】
カードの磁気ストライプに磁気データが記録されているのか否かを検知するための磁気センサと、前記カードが挿入されるカード挿入口が形成され前記磁気センサが配置されるカード挿入部とを備え、前記磁気センサは、電力が供給されると出力信号を出力するカードリーダの制御方法であって、
前記カード挿入口から挿入された前記カードの前記磁気ストライプに記録される磁気データの記録領域が前記磁気センサを通過し始めてから通過し終わるまでの時間をカード通過時間とすると、
前記カード通過時間よりも短い第１供給時間、前記磁気センサに電力を供給することを特徴とするカードリーダの制御方法。
【発明の詳細な説明】
【技術分野】
【０００１】
本発明は、カードの磁気ストライプに磁気データが記録されているのか否かを検知するための磁気センサを備えるカードリーダに関する。また、本発明は、かかるカードリーダの制御方法に関する。
【背景技術】
【０００２】
従来、カードに記録された磁気データを読み取るカードリーダが知られている（たとえば、特許文献１参照）。特許文献１に記載のカードリーダは、カードに記録された磁気データを読み取るための磁気ヘッドを備えている。また、このカードリーダは、カードの挿入口から挿入されたカードの磁気ストライプに磁気データが記録されているのか否かを検知するためのプリヘッド（磁気ヘッド）を備えている。
【０００３】
カードリーダが利用される業界において、従来、犯罪者がプリヘッドから出力される信号を不正に取得して、カードに記録された磁気情報を不正に取得するいわゆるタッピングが大きな問題となっている。特許文献１に記載のカードリーダでは、プリヘッドの内部に、カードに記録された磁気データに応じた信号と異なる信号を出力する偽信号出力回路が設けられており、犯罪者がプリヘッドから出力される信号を取得しても、カードに記録された磁気データに応じた信号を取得することができない。そのため、このカードリーダでは、犯罪者による磁気情報の不正取得を阻止することが可能となっている。
【先行技術文献】
【特許文献】
【０００４】
【特許文献１】特開２０１０−２０５１８７号公報
【発明の概要】
【発明が解決しようとする課題】
【０００５】
上述のように、特許文献１に記載のカードリーダでは、プリヘッドの内部に偽信号出力回路が設けられているため、犯罪者による磁気情報の不正取得を阻止することが可能となっている。しかしながら、このカードリーダでは、プリヘッドの内部に偽信号出力回路が設けられているため、プリヘッドが高価になり、その結果、カードリーダのコストが高くなる。
【０００６】
そこで、本発明の課題は、カード挿入口から挿入されるカードの磁気ストライプに磁気データが記録されているのか否かを検知することが可能であっても、犯罪者による磁気情報の不正取得を阻止することが可能で、かつ、コストを低減することが可能なカードリーダを提供することにある。また、本発明の課題は、カード挿入口から挿入されるカードの磁気ストライプに磁気データが記録されているのか否かを検知することが可能であっても、犯罪者による磁気情報の不正取得を阻止することが可能で、かつ、コストを低減することが可能となるカードリーダの制御方法を提供することにある。
【課題を解決するための手段】
【０００７】
上記の課題を解決するため、本発明のカードリーダは、カードの磁気ストライプに磁気データが記録されているのか否かを検知するための磁気センサと、磁気センサに電力を供給するとともに磁気センサの出力信号が入力される制御部と、カードが挿入されるカード挿入口が形成され磁気センサが配置されるカード挿入部とを備え、磁気センサは、制御部から電力が供給されると出力信号を出力し、カード挿入口から挿入されたカードの磁気ストライプに記録される磁気データの記録領域が磁気センサを通過し始めてから通過し終わるまでの時間をカード通過時間とすると、制御部は、カード通過時間よりも短い第１供給時間、磁気センサに電力を供給することを特徴とする。
【０００８】
本発明のカードリーダでは、カードの磁気ストライプに磁気データが記録されているのか否かを検知するための磁気センサは、電力が供給されると出力信号を出力する。また、本発明では、制御部は、カード挿入口から挿入されたカードの磁気ストライプに記録される磁気データの記録領域が磁気センサを通過し始めてから通過し終わるまでの時間であるカード通過時間よりも短い第１供給時間、磁気センサに電力を供給している。そのため、本発明では、磁気ストライプに磁気データが記録されたカードが磁気センサを通過したときに、カードに記録された磁気データに応じた信号の一部を出力信号として磁気センサから出力させることは可能になるが、カードに記録された磁気データに応じた信号の全部を磁気センサが出力信号として出力することはなく、カードに記録された磁気データに応じた信号の全部を犯罪者が磁気センサから取得することはできない。したがって、本発明では、磁気センサの出力信号に基づいて、カード挿入口から挿入されるカードの磁気ストライプに磁気データが記録されているのか否かを検知することが可能であっても、犯罪者による磁気情報の不正取得を阻止することが可能になる。また、本発明では、一般的な磁気センサを利用して、カードの磁気ストライプに磁気データが記録されているのか否かを検知しつつ、犯罪者による磁気情報の不正取得を阻止することが可能になるため、カードリーダのコストを低減することが可能になる。
【０００９】
本発明において、制御部は、間欠的に第１供給時間、磁気センサに電力を供給することが好ましい。このように構成すると、簡易な制御で、カードの磁気ストライプが磁気センサを通過するときに磁気センサに電力を供給することが可能になる。したがって、カードリーダの制御が容易になる。
【００１０】
本発明において、カードリーダは、カード挿入口にカードが挿入されたことを検知するためのカード挿入センサを備え、制御部は、カード挿入センサでの検知結果に基づいてカード挿入口にカードが挿入されたことが検知されると、間欠的に第１供給時間、磁気センサに電力を供給することが好ましい。このように構成すると、カード挿入口にカードが挿入される前の待機時においても、磁気センサに、間欠的に第１供給時間、電力が供給されている場合と比較して、カードリーダの省電力化を図ることが可能になる。
【００１１】
本発明において、制御部は、制御部が磁気センサに電力を供給していないときに、磁気センサの出力信号が制御部に入力されると、異常処理を実行することが好ましい。このように構成すると、カードに記録された磁気データに応じた信号の全部を出力信号として磁気センサが出力するように、犯罪者が所定の細工を行って磁気センサに電力を供給したとしても、犯罪者による磁気情報の不正取得を阻止することが可能になる。
【００１２】
本発明において、磁気センサは、たとえば、磁気抵抗効果を利用したＭＲセンサである。
【００１３】
また、上記の課題を解決するため、本発明のカードリーダの制御方法は、カードの磁気ストライプに磁気データが記録されているのか否かを検知するための磁気センサと、カードが挿入されるカード挿入口が形成され磁気センサが配置されるカード挿入部とを備え、磁気センサは、電力が供給されると出力信号を出力するカードリーダの制御方法であって、カード挿入口から挿入されたカードの磁気ストライプに記録される磁気データの記録領域が磁気センサを通過し始めてから通過し終わるまでの時間をカード通過時間とすると、カード通過時間よりも短い第１供給時間、磁気センサに電力を供給することを特徴とする。
【００１４】
本発明では、カードの磁気ストライプに磁気データが記録されているのか否かを検知するための磁気センサは、電力が供給されると出力信号を出力する。また、本発明では、カード挿入口から挿入されたカードの磁気ストライプに記録される磁気データの記録領域が磁気センサを通過し始めてから通過し終わるまでの時間であるカード通過時間よりも短い第１供給時間、磁気センサに電力を供給する。そのため、本発明では、磁気ストライプに磁気データが記録されたカードが磁気センサを通過したときに、カードに記録された磁気データに応じた信号の一部を出力信号として磁気センサから出力させることは可能になるが、カードに記録された磁気データに応じた信号の全部を磁気センサが出力信号として出力することはなく、カードに記録された磁気データに応じた信号の全部を犯罪者が取得することはできない。したがって、本発明では、磁気センサの出力信号に基づいて、カード挿入口から挿入されるカードの磁気ストライプに磁気データが記録されているのか否かを検知することが可能であっても、犯罪者による磁気情報の不正取得を阻止することが可能になる。また、本発明では、一般的な磁気センサを利用して、カードの磁気ストライプに磁気データが記録されているのか否かを検知しつつ、犯罪者による磁気情報の不正取得を阻止することが可能になるため、カードリーダのコストを低減することが可能になる。
【発明の効果】
【００１５】
以上のように、本発明では、カード挿入口から挿入されるカードの磁気ストライプに磁気データが記録されているのか否かを検知することが可能であっても、犯罪者による磁気情報の不正取得を阻止することが可能になるとともに、カードリーダのコストを低減することが可能になる。
【図面の簡単な説明】
【００１６】
【図１】本発明の実施の形態にかかるカードリーダの概略図である。
【図２】図１に示す磁気センサが接続される制御部のブロック図である。
【図３】図１に示す磁気センサのオンオフタイミングを説明するための図である。
【図４】図１に示すカードリーダの、カードの取込動作時の制御フローの一例を示すフローチャートである。
【発明を実施するための形態】
【００１７】
以下、図面を参照しながら、本発明の実施の形態を説明する。
【００１８】
（カードリーダの構成）
図１は、本発明の実施の形態にかかるカードリーダ１の概略図である。図２は、図１に示す磁気センサ８が接続される制御部１４のブロック図である。図３は、図１に示す磁気センサ８のオンオフタイミングを説明するための図である。
【００１９】
本形態のカードリーダ１は、カード２に記録された磁気データの読取やカード２への磁気データの記録を行うための装置であり、たとえば、ＡＴＭ等の所定の上位装置に搭載されて使用される。このカードリーダ１は、カード２が挿入されるカード挿入口３が形成されるカード挿入部４と、本体部５とを備えている。カードリーダ１の内部には、カード挿入口３から挿入されたカード２が通過するカード通過路が形成されている。本形態では、図１に示すＸ方向でカード２が通過する。
【００２０】
また、カードリーダ１は、カード２の磁気ストライプ２ａに記録された磁気データの読取や磁気ストライプ２ａへの磁気データの記録を行うための磁気ヘッド７と、カード２の磁気ストライプ２ａに磁気データが記録されているのか否かを検知するための磁気センサ８と、カード挿入口３にカード２が挿入されたことを検知するためのカード挿入センサ９と、カード通過路を開閉するシャッタ部材１０とを備えている。磁気ヘッド７は、本体部５に配置されている。磁気センサ８、カード挿入センサ９およびシャッタ部材１０は、カード挿入部４に配置されている。また、カードリーダ１は、カード通過路においてカード２を搬送するカード搬送機構（図示省略）を備えている。
【００２１】
カード２は、厚さが０．７〜０．８ｍｍ程度の略長方形状の塩化ビニール製のカードである。カード２には、磁気データが記録される磁気ストライプ２ａが形成されている。磁気ストライプ２ａは、略長方形状に形成されるカード２の長手方向に沿って帯状に形成されている。カード２では、磁気ストライプ２ａの長手方向の所定の範囲に磁気データが記録可能となっている。すなわち、カード２では、磁気ストライプ２ａに記録される磁気データの記録領域が規定されている。カード２は、カード２の長手方向がＸ方向（カード２の通過方向）と略一致した状態で、カードリーダ１に挿入されて、カードリーダ１内で搬送される。なお、カード２には、ＩＣチップや通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２２】
カード挿入センサ９は、たとえば、カード２の通過方向とカード２の厚さ方向とに直交するカード２の幅を検知するためのカード幅センサである。このカード挿入センサ９は、たとえば、カード２の幅方向（図１のＹ方向）におけるカード２の両端部に接触可能な２個のセンサレバー（図示省略）と、２個のセンサレバーのそれぞれの動きを検知する接点スイッチまたはフォトインタラプタ（図示省略）とを備えており、カード挿入口３に挿入されたカード２の端部がセンサレバーに接触して、センサレバーの動きが検知されると、カード挿入口３にカード２が挿入されたことが検出される。
【００２３】
シャッタ部材１０は、カード２の通過方向において、カード挿入センサ９よりも奥側に配置されている。このシャッタ部材１０は、図示を省略するシャッタ駆動機構に連結されており、シャッタ部材１０がカード通過路を閉鎖する位置と、シャッタ部材１０がカード通過路を開放する位置との間で移動可能となっている。
【００２４】
磁気センサ８は、磁気抵抗効果を利用したＭＲセンサである。この磁気センサ８は、カード２の通過方向において、カード挿入センサ９よりも奥側に、かつ、シャッタ部材１０よりも手前側に配置されている。すなわち、磁気センサ８は、カード２の通過方向において、カード挿入センサ９とシャッタ部材１０との間に配置されている。また、磁気センサ８は、カード挿入口３から挿入されたカード２の磁気ストライプ２ａが通過する位置に配置されている。
【００２５】
磁気センサ８は、制御部１４に接続されている。制御部１４は、電源回路１５を備えており、磁気センサ８に電力を供給する。電源回路１５は、スイッチ１７を介して磁気センサ８に接続されている。また、制御部１４は、磁気センサ８の出力信号が入力される検知回路１６を備えており、制御部１４には、磁気センサ８の出力信号が入力される。検知回路１６は、磁気センサ８の出力信号に基づいて、磁気ストライプ２ａに磁気データが記録されているのか否かを判別する。なお、制御部１４には、カード挿入センサ９も接続されている。
【００２６】
図３（Ａ）に示すように、スイッチ１７がオンになると、磁気センサ８に電力が供給されて磁気センサ８がオンになり、スイッチ１７がオフになると、磁気センサ８への電力の供給が停止されて、磁気センサ８がオフになる。また、磁気センサ８は、オンになると、出力信号を出力する。すなわち、磁気センサ８は、制御部１４から電力が供給されると、検知回路１６に向かって出力信号を出力する。
【００２７】
カード挿入口３から挿入されたカード２の磁気ストライプ２ａに記録される磁気データの記録領域が磁気センサ８を通過し始めてから通過し終わるまでの時間をカード通過時間Ｔとすると、制御部１４は、カード通過時間Ｔよりも短い第１供給時間ΔＴ（図３参照）、磁気センサ８に電力を供給する。すなわち、制御部１４は、１回の電力供給時に、カード通過時間Ｔよりも短い第１供給時間ΔＴ、磁気センサ８に連続的に電力を供給する。
【００２８】
具体的には、制御部１４は、間欠的に第１供給時間ΔＴ、磁気センサ８に電力を供給する。すなわち、磁気センサ８は、間欠的に第１供給時間ΔＴの間、オンとなって出力信号を出力する。すなわち、磁気センサ８は、オンとなって出力信号を出力している状態と、オフとなって出力信号の出力を停止している状態とを所定時間ごとに繰り返す。本形態では、カード挿入センサ９での検知結果に基づいてカード挿入口３にカード２が挿入されたことが検知されると、制御部１４は、間欠的に第１供給時間ΔＴの間、磁気センサ８に電力を供給し、磁気センサ８は、間欠的に第１供給時間ΔＴの間、出力信号を出力する。
【００２９】
なお、本形態では、後述のように、磁気ストライプ２ａに磁気データが記録されていることが検知されると、以後、制御部１４は、磁気センサ８への電力の供給を停止する。また、カード通過時間Ｔは、ユーザによるカードリーダ１へのカード２の挿入速度と、カード搬送機構によるカード２の搬送速度とから規定される。ユーザによるカード２の挿入速度のばらつきは大きいため、第１供給時間ΔＴがカード通過時間Ｔよりも長くならないように、第１供給時間ΔＴは、想定されるカード通過時間Ｔよりも十分に短い時間に設定されている。たとえば、第１供給時間ΔＴは、１０ｍｓｅｃ（ミリ秒）〜数１０ｍｓｅｃとなっている。また、磁気センサ８がオフとなって出力信号の出力を停止しているときに、カード２の磁気データの記録領域が磁気センサ８を通過してしまうことがないように、間欠的に磁気センサ８への電力の供給が停止される電力停止時間ΔＴ１（図３参照）も、想定されるカード通過時間Ｔよりも十分に短い時間に設定されている。
【００３０】
また、制御部１４は、図３（Ｂ）のＥ部に示すように、スイッチ１７がオフになっており、制御部１４が磁気センサ８に電力を供給していないときに、磁気センサ８がオンとなって磁気センサ８の出力信号が制御部１４に入力されると、所定の異常処理を実行する。たとえば、制御部１４は、カードリーダ１の動作を停止させる、あるいは、カードリーダ１が搭載される上位装置にアラームを上げる等の異常処理を実行する。
【００３１】
（カードの取込動作時のカードリーダの制御）
図４は、図１に示すカードリーダ１の、カード２の取込動作時の制御フローの一例を示すフローチャートである。
【００３２】
カードリーダ１は、以下のように、カード２を内部に取り込む。すなわち、カードリーダ１にカード２が挿入される前の待機時に、制御部１４は、磁気センサ８の出力信号が制御部１４（具体的には、検知回路１６）に入力されているのか否かを判断する（ステップＳ１）。上述のように、制御部１４は、カード挿入センサ９での検知結果に基づいてカード挿入口３にカード２が挿入されたことが検知されると、磁気センサ８に電力を供給し、磁気センサ８は、制御部１４から電力が供給されると、出力信号を出力する。したがって、ステップＳ１において、待機時に磁気センサ８の出力信号が制御部１４に入力されている場合には、制御部１４が磁気センサ８に電力を供給していないにもかかわらず、磁気センサ８から出力信号が出力されており、何からの不正行為が行われていると推定されるため、制御部１４は、上述のように、異常処理を実行する（ステップＳ２）。なお、待機時には、シャッタ部材１０は、カード通過路を閉鎖している。
【００３３】
一方、ステップＳ１において、待機時に磁気センサ８の出力信号が制御部１４に入力されていなければ、制御部１４は、カード挿入センサ９での検知結果に基づいてカード挿入口３にカード２が挿入されたのか否かを判断し（ステップＳ３）、カード２の挿入が検知されると（ステップＳ３で“Ｙｅｓ”になると）、制御部１４は、磁気センサ８への電力の供給を開始し、磁気センサ８は、オンになる（ステップＳ４）。また、ステップＳ４では、制御部１４は、磁気センサ８の出力信号の初期のレベルを記憶する。
【００３４】
その後、制御部１４は、所定の周期でサンプリングされる磁気センサ８の出力信号のレベルとステップＳ４で記憶された磁気センサ８の出力信号の初期レベルとの差（すなわち、磁気センサ８の出力信号の変化）が所定値以上であるのか否かを判断する（ステップＳ５）。ステップＳ５において、磁気センサ８の出力信号の変化が所定値以上である場合には、制御部１４は、挿入されたカード２の磁気ストライプ２ａに磁気データが記録されていると判断して、磁気センサ８への電力の供給を停止して磁気センサ８をオフにし（ステップＳ６）、その後、カード２の取込動作を行う（ステップＳ７）。ステップＳ７では、カード通過路を閉鎖しているシャッタ部材１０を移動させてカード通過路を開放するとともに、カード搬送機構を起動して、カード２を本体部５の中へ取り込む。
【００３５】
また、ステップＳ５において、磁気センサ８の出力信号の変化が所定値未満である場合には、制御部１４は、挿入されたカード２の磁気ストライプ２ａに記録される磁気データの記録領域が磁気センサ８の配置位置まで到達していないと判断し、ステップＳ４で磁気センサ８への電力の供給を開始してから第１供給時間ΔＴが経過したのか否かを判断する（ステップＳ８）。ステップＳ８において、第１供給時間ΔＴが経過していない場合には、ステップＳ５に戻り、ステップＳ８において、第１供給時間ΔＴが経過した場合には、制御部１４は、磁気センサ８への電力の供給を停止して磁気センサ８をオフにする（ステップＳ９）。
【００３６】
その後、制御部１４は、ステップＳ９で磁気センサ８がオフになってから電力停止時間ΔＴ１が経過したのか否かを判断し（ステップＳ１０）、所定時間が経過すると（ステップＳ１０で“Ｙｅｓ”になると）、制御部１４は、再び、磁気センサ８への電力の供給を開始して、磁気センサ８は、オンになり（ステップＳ１１）、その後、ステップＳ５へ戻る。
【００３７】
なお、ステップＳ４で磁気センサ８がオンとなってからステップＳ６で磁気センサ８がオフとなるまでの時間、および、ステップＳ１１で磁気センサ８がオンとなってからステップＳ６で磁気センサ８がオフとなるまでの時間は、第１供給時間ΔＴ以下である。また、ステップＳ３でカード２の挿入が検知されてから所定時間経過しても、ステップＳ５で磁気センサ８の出力信号の変化が所定値以上とならない場合には、制御部１４は、磁気ストライプ２ａに磁気データが記録されていないカード２等がカード挿入口３に挿入された、あるいは、カード２が間違った向きでカード挿入口３に挿入されたと判断して、異常処理を実行する。さらに、ステップＳ７でのカード２の取込動作中に、磁気センサ８の出力信号が制御部１４に入力された場合には、制御部１４が磁気センサ８に電力を供給していないにもかかわらず、磁気センサ８から出力信号が出力されており、何からの不正行為が行われていると推定されるため、制御部１４は、カード２の取込動作を停止して、カード２の排出動作を行う等の異常処理を実行する。
【００３８】
（本形態の主な効果）
以上説明したように、本形態では、磁気センサ８は、制御部１４から電力が供給されると出力信号を出力する。また、本形態では、制御部１４は、カード挿入口３から挿入されたカード２の磁気ストライプ２ａに記録される磁気データの記録領域が磁気センサ８を通過し始めてから通過し終わるまでのカード通過時間Ｔよりも短い第１供給時間ΔＴ、磁気センサ８に電力を供給している。そのため、本形態では、磁気ストライプ２ａに磁気データが記録されたカード２が磁気センサ８を通過したときに、磁気センサ８は、カード２に記録された磁気データに応じた信号の一部を出力信号として出力するが、カード２に記録された磁気データに応じた信号の全部を出力信号として出力することはなく、カード２に記録された磁気データに応じた信号の全部を犯罪者が磁気センサ８から取得することはできない。したがって、本形態では、磁気センサ８の出力信号に基づいて、磁気ストライプ２ａに磁気データが記録されているのか否かを検知することが可能であっても、犯罪者による磁気情報の不正取得を阻止することが可能になる。また、本形態では、一般的な磁気センサ８を利用して、磁気ストライプ２ａに磁気データが記録されているのか否かを検知しつつ、犯罪者による磁気情報の不正取得を阻止することが可能になるため、カードリーダ１のコストを低減することが可能になる。
【００３９】
本形態では、制御部１４は、間欠的に第１供給時間ΔＴ、磁気センサ８に電力を供給している。また、本形態では、第１供給時間ΔＴおよび電力停止時間ΔＴ１は、想定されるカード通過時間Ｔよりも十分に短い時間に設定されている。そのため、本形態では、簡易な制御で、カード２の磁気ストライプ２ａが磁気センサ８を通過するときに磁気センサ８に電力を供給することが可能になる。したがって、本形態では、カードリーダ１の制御が容易になる。
【００４０】
本形態では、カード挿入センサ９での検知結果に基づいてカード挿入口３にカード２が挿入されたことが検知されると、制御部１４は、間欠的に第１供給時間ΔＴの間、磁気センサ８に電力を供給している。そのため、本形態では、カード挿入口３にカード２が挿入される前の待機時においても、磁気センサ８に、間欠的に第１供給時間ΔＴ、電力が供給されている場合と比較して、カードリーダ１の省電力化を図ることが可能になる。
【００４１】
本形態では、制御部１４は、制御部１４が磁気センサ８に電力を供給していないにもかかわらず、磁気センサ８がオンとなって磁気センサ８の出力信号が制御部１４に入力されると、所定の異常処理を実行する。そのため、本形態では、カード２に記録された磁気データに応じた信号の全部を出力信号として磁気センサ８が出力するように、犯罪者が所定の細工を行って磁気センサ８に電力を供給したとしても、犯罪者による磁気情報の不正取得を阻止することが可能になる。
【００４２】
なお、本形態の磁気センサ８は、ＭＲセンサであるため、本形態では、カード２が停止していても、磁気センサ８によって、カード２の磁気ストライプ２ａに磁気データが記録されているのか否かを検知することが可能である。
【００４３】
（他の実施の形態）
上述した形態は、本発明の好適な形態の一例ではあるが、これに限定されるものではなく本発明の要旨を変更しない範囲において種々変形実施が可能である。
【００４４】
上述した形態では、ステップＳ５において、制御部１４は、所定の周期でサンプリングされる磁気センサ８の出力信号のレベルとステップＳ４で記憶された磁気センサ８の出力信号の初期レベルとの差（磁気センサ８の出力信号の変化）が所定値以上であるのか否かを判断することで、挿入されたカード２の磁気ストライプ２ａに磁気データが記録されているのか否かを検知している。この他にもたとえば、制御部１４は、所定の周期でサンプリングされる磁気センサ８の出力信号のレベルが所定値以上であるのか否かを判断することで、挿入されたカード２の磁気ストライプ２ａに磁気データが記録されているのか否かを検知しても良い。この場合には、制御部１４は、ステップＳ４において、磁気センサ８の出力信号の初期レベルを記憶しなくても良い。なお、上述した形態のように、磁気センサ８の出力信号の変化に基づいて、挿入されたカード２の磁気ストライプ２ａに磁気データが記録されているのか否かを検知する場合には、温度変動等による磁気センサ８の出力信号の経時的な変動を取り除いた正確な検知を行うことが可能になる。
【００４５】
上述した形態では、制御部１４は、間欠的に第１供給時間ΔＴ、磁気センサ８に電力を供給している。この他にもたとえば、磁気ストライプ２ａに記録された磁気データの記録領域が磁気センサ８を通過するときに磁気センサ８に電力を供給することができるのであれば、制御部１４は、カード挿入センサ９での検知結果に基づいてカード挿入口３にカード２が挿入されたことが検知された後の所定のタイミングで１回、第１供給時間ΔＴ、磁気センサ８に電力を供給しても良い。
【００４６】
上述した形態では、カード挿入センサ９での検知結果に基づいてカード挿入口３にカード２が挿入されたことが検知されると、制御部１４は、間欠的に第１供給時間ΔＴの間、磁気センサ８に電力を供給している。この他にもたとえば、制御部１４は、カード挿入口３にカード２が挿入される前の待機時から、間欠的に第１供給時間ΔＴの間、磁気センサ８に電力を供給しても良い。この場合には、カードリーダ１は、カード挿入センサ９を備えていなくても良い。
【００４７】
上述した形態では、磁気センサ８は、磁気抵抗効果を利用したＭＲセンサである。この他にもたとえば、磁気センサ８は、励磁コイルと、検出コイルと、励磁コイルおよび検出コイルが巻回されるコアとをフラックスゲートセンサであっても良い。また、磁気センサ８は、磁気インピーダンスを利用したＭＩセンサであっても良いし、ホール効果を利用したホールセンサであっても良い。すなわち、磁気センサ８は、制御部１４から電力が供給されたときに出力信号を出力するセンサであれば良い。また、上述した形態では、カードリーダ１は、カード搬送機構を有するカード搬送式のカードリーダであるが、カードリーダ１は、ユーザが手動で操作を行う手動式のカードリーダであっても良い。
【符号の説明】
【００４８】
１  カードリーダ
２  カード
２ａ  磁気ストライプ
３  カード挿入口
４  カード挿入部
８  磁気センサ（ＭＲセンサ）
９  カード挿入センサ
１４  制御部
ΔＴ  第１供給時間
【図１】
2016071391.tif 000003
【図２】
2016071391.tif 000004
【図３】
2016071391.tif 000005
【図４】
2016071391.tif 000006